(57)【要約】【課題】構成が単純で加工が容易であり、サドルの材料費が低減されるとともに音の響きが良好な弦楽器用ブリッジを提供する。【解決手段】サドル本体５０の両端部外周には、その全周に亘って弦溝５５が形成され、弦溝５５は、深さが一定の均一部５６と、均一部５６よりも深さが深い深溝部５７とからなっている。深溝部５７は断面円弧状に形成され、その曲率半径は均一部５６の曲率半径よりも大きく設定されている。均一部５６および深溝部５７の交差部近傍の軸断面が山型をなし、山型の頂点Ｐが形成され、頂点Ｐ，Ｐは円周方向にずれている。【選択図】図４
2014041237.tif 000002
【特許請求の範囲】
【請求項１】
弦楽器本体に取り付けられる基体と、
前記基体の後端縁部に首部が回転自在に支持されたねじ部材と、
前記ねじ部材が螺合され、ねじ部材が回転することで弦が張られた前後方向に沿って移動させられるサドルとを備え、
前記サドルは、前記前後方向とほぼ直交する方向へ軸線を向けたほぼ円柱状をなすサドル本体と、
前記サドル本体の両端部の外周で円周方向に沿って延在する弦溝とを備え、
前記弦溝は、軸断面の曲率半径が前記弦溝の曲率半径よりも大きい断面がほぼ円弧状の深溝部を備え、これにより前記深溝部の始点付近の軸断面が山型をなすように設けられ、
一方の前記深溝部の前記山型の頂点は、平面視で前記軸線よりも前方に位置し、他方の前記深溝部の前記山型の頂点は、平面視で前記軸線よりも後方に位置することを特徴とする弦楽器用ブリッジ。
【請求項２】
前記深溝部は、前記軸断面で２つ設けられ、前記山型の頂点は、前記前後方向に伸びる直線に対して線対称位置に配置されていることを特徴とする請求項１に記載の弦楽器用ブリッジ。
【請求項３】
前記弦溝は、深さが一定の均一部を備え、前記２つの深溝部は、前記均一部から延びて該均一部と同じ深さの箇所で互いに連通されていることを特徴とする請求項２に記載の弦楽器用ブリッジ。
【請求項４】
前記サドルの直径は７〜１０ｍｍであり、前記深溝部の曲率半径は５〜８ｍｍであることを特徴とする請求項３に記載の弦楽器用ブリッジ。
【請求項５】
請求項２に記載の弦楽器用ブリッジを備えた６弦の弦楽器であって、１弦および２弦用の前記サドルの表裏を逆にして５弦および６弦用の前記サドルの位置に配置し、５弦および６弦用の前記サドルの表裏を逆にして１弦および２弦用の前記サドルの位置に配置し、３弦および４弦用の前記サドルの表裏を逆にして３弦および４弦用の前記サドルの位置に配置することにより、右利き用を左利き用に変更可能に構成されていることを特徴とする弦楽器。
【請求項６】
請求項２に記載の弦楽器用ブリッジを備えた４弦の弦楽器であって、１弦および２弦用の前記サドルの表裏を逆にして３弦および４弦用の前記サドルの位置に配置し、３弦および４弦用の前記サドルの表裏を逆にして１弦および２弦用の前記サドルの位置に配置することにより、右利き用を左利き用に変更可能に構成されていることを特徴とする弦楽器。
【請求項７】
ほぼ円柱状をなすサドル本体と、
前記サドル本体の両端部の外周で円周方向に沿って延在する弦溝と、
前記サドル本体の中央部に設けられ、該サドル本体の軸線と直交する位置調整用ねじ孔と、
前記サドル本体の両端部に貫通して設けられ、側面視で前記位置調整用ねじ孔に対して交差する高さ調整用ねじ孔とを備え、
前記弦溝は、軸断面の曲率半径が前記弦溝の曲率半径よりも大きい断面がほぼ円弧状の深溝部を備え、これにより前記深溝部の始点付近の軸断面が山型をなし、該山型が前記高さ調整用ねじ孔の貫通方向に位置するように設けられ、
一方の前記深溝部の前記山型の頂点と他方の前記深溝部の前記山型の頂点は、前記円周方向に互いにずれて位置していることを特徴とする弦楽器用サドル。
【発明の詳細な説明】
【技術分野】
【０００１】
本発明は、弦楽器の弦のオクターブ調整を行うことができる弦楽器用ブリッジに係り、特に、サドルの構造が簡単でかつ音の響きを良好にする技術に関する。
【背景技術】
【０００２】
たとえばギターのような弦楽器では、楽器本体に設けたブリッジに複数の弦の端部を係止し、ネック側のヘッドに設けた糸巻きに弦の他端部を巻き付けるようになっている。この場合において、ネックの端に設けたナットとブリッジに設けたサドルとの間隔が弦長となる。このような弦楽器では、糸巻きで弦の張力を調整することで調弦を行う。
【０００３】
ギターなどのフレットのある弦楽器では、弦を指で押さえて演奏するときに音程が合わないという現象が生じることがある。これは、サドルから各フレットまでの距離が最適となっていないためである。そのため、各弦毎にサドルの位置つまり弦長を微調整する必要が生じる。この調整をオクターブ調整という。
【０００４】
フォークギターなどでは、板条のサドルをブリッジに斜めに固定することにより、各弦の弦長を最適値に設定している。エレキギターの中には、サドルが各弦毎に独立しており、ねじによってサドルを移動可能に構成して各弦毎にオクターブ調整するようにしたものがある。このようなブリッジは一般的に多くのエレキギターに採用されている。
【０００５】
しかしながら、エレキギターの種類によってはサドルが各弦毎に移動可能になっていないものがある。たとえば、テレキャスター（フェンダー社登録商標）と呼ばれるエレキギターの有名な機種では、１つのサドルの両端部で２本の弦を支持する構成のブリッジが従来からのデザインとして定着し、しかも優れた音色が得られるものとしてユーザーの高い評価を得ているため、各弦毎に調整できるように変更することは困難であった。したがって、そのようなブリッジであっても各弦毎にオクターブ調整が可能な技術が要望されていた。
【０００６】
特許文献１には、サドルを略円柱状に形成し、ブリッジプレートの縁部に回転自在に支持したねじをサドルの中央部に貫通させてサドルを移動可能とし、弦溝が形成されて弦を支持するサドルの両端部の各々を、ナット側とその反対側へ偏心させたブリッジが開示されている。このようなブリッジでは、例えばサドルにおける１弦の支持点が２弦の支持点よりも前方へずれていて弦長が短くなる。そして、１弦および２弦のいずれか一方のオクターブ調整をすれば他方の弦のオクターブ調整も同時に完了するように支持点のずれ量が設定されている。３弦と４弦、および５弦と６弦のサドルも同様に構成され、１弦〜６弦の全てのオクターブ調整が可能とされている。
【先行技術文献】
【特許文献】
【０００７】
【特許文献１】特開２０１１−１９７６１８号公報
【発明の概要】
【発明が解決しようとする課題】
【０００８】
特許文献１で提案されたブリッジでは、サドルの中央部に対して両端部がナット側とその反対側へ偏心した円柱状に形成されているため、そのようなサドルを製造するには、円柱状の金属素材を旋削加工し、次いで中央部に対して偏心した両端部を切削加工するという工程が必要となる。このため、製造工程が複雑であるとともに、切削加工で除去する部分が多く材料費が割高になる。また、サドルの弦を支持する部分が切削加工により細くなるため、音の響きが良好でないという欠点もある。さらに、円柱状の端部の外周に沿って弦溝が形成されているため、弦溝の断面形状が円弧状となっている。このため、弦溝と弦との接触面積が大きいために音の響きがさらに良好でなく、場合によってはびびりが生じるといった問題もあった。
【０００９】
本発明は上記事情に鑑みてなされたものであり、構成が単純で加工が容易であり、サドルの材料費が低減されるとともに音の響きが良好な弦楽器用ブリッジを提供することを目的としている。
【課題を解決するための手段】
【００１０】
本発明の弦楽器用ブリッジは、弦楽器本体に取り付けられる基体と、基体の後端縁部に首部が回転自在に支持されたねじ部材と、ねじ部材が螺合され、ねじ部材が回転することで弦が張られた前後方向に沿って移動させられるサドルとを備え、サドルは、前後方向とほぼ直交する方向へ軸線を向けたほぼ円柱状をなすサドル本体と、サドル本体の両端部の外周で円周方向に沿って延在する弦溝とを備え、弦溝は、軸断面の曲率半径が弦溝の曲率半径よりも大きい断面がほぼ円弧状の深溝部を備え、これにより深溝部の始点付近の軸断面が山型をなすように設けられ、一方の深溝部の山型の頂点は、平面視で軸線よりも前方に位置し、他方の深溝部の山型の頂点は、平面視で軸線よりも後方に位置することを特徴としている。
【００１１】
上記構成の弦楽器用ブリッジにあっては、弦溝に深溝部を設けることで山型の頂点の前後方向のずれ量が設定され、山型の頂点とナットとの間隔が弦長となる。そして、サドルを前後方向へ移動させて一方の弦のオクターブ調整をすれば他方の弦のオクターブ調整も同時に完了するように頂点の前後方向のずれ量が設定される。
【００１２】
本発明においては、弦溝に深溝部を設けた構成であるから、構成が単純であり加工が容易である。たとえば、サドル本体を回転可能に支持し、ボールエンドミルなどの切削工具で切込み量を変化させながら溝加工を行うことで深溝部を形成することができる。また、深溝部は断面がほぼ円弧状であるから、断面を直線状にする場合と比較して除去する材料の量が少ないとともにより多くの体積が確保される。したがって、材料費が低減されるとともに音の響きが良好となる。さらに、弦は山型の頂点で支持されるので弦と弦溝との接触面積が小さい。このため、音の響きがさらに良好となる。
【００１３】
ここで、深溝部は、軸断面で２つ設けられ、山型の頂点は、前後方向に伸びる直線に対して線対称位置に配置されていることが望ましい。このような態様では、サドルを裏返してブリッジに装着することにより、右利き用の弦楽器を左利き用に変更することができる。
【００１４】
すなわち、エレキギターのように６弦の弦楽器では、１弦および２弦用のサドルの表裏を逆にして５弦および６弦用のサドルの位置に配置し、５弦および６弦用のサドルの表裏を逆にして１弦および２弦用のサドルの位置に配置し、３弦および４弦用のサドルの表裏を逆にして３弦および４弦用のサドルの位置に配置する。そして、１弦から６弦までの弦の並びを逆にして張ることにより、左利き用の弦楽器を構成することができる。
【００１５】
また、エレキベースのように４弦の弦楽器では、１弦および２弦用のサドルの表裏を逆にして３弦および４弦用のサドルの位置に配置し、３弦および４弦用のサドルの表裏を逆にして１弦および２弦用のサドルの位置に配置する。そして、１弦から４弦までの弦の並びを逆にして張ることにより、左利き用の弦楽器を構成することができる。
【００１６】
また、本発明の弦楽器用ブリッジにあっては、弦溝は、深さが一定の均一部を備え、２つの深溝部は、均一部から延びて均一部と同じ深さの箇所で互いに連通されていることを望ましい態様とする。そして、このような態様において、サドルの直径は７〜１０ｍｍであることが望ましく、深溝部の曲率半径は５〜８ｍｍであることが望ましい。
【００１７】
深溝部の曲率半径が５ｍｍを下回ると、弦溝の曲率半径と近くなり、音の響きが良好でなくなる。一方、深溝部の曲率半径が８ｍｍを超えると、深溝部の断面形状が直線に近くなり、サドルの体積が不充分となって音の響きが良好でなくなる。
【００１８】
次に、本発明の弦楽器用サドルは、ほぼ円柱状をなすサドル本体と、サドル本体の両端部の外周で円周方向に沿って延在する弦溝と、サドル本体の中央部に設けられ、該サドル本体の軸線と直交する位置調整用ねじ孔と、サドル本体の両端部に貫通して設けられ、側面視で位置調整用ねじ孔に対して交差する高さ調整用ねじ孔とを備え、弦溝は、軸断面の曲率半径が弦溝の曲率半径よりも大きい断面がほぼ円弧状の深溝部を備え、これにより深溝部の始点付近の軸断面が山型をなし、該山型が高さ調整用ねじ孔の貫通方向に位置するように設けられ、一方の深溝部の山型の頂点と他方の深溝部の山型の頂点は、円周方向に互いにずれて位置していることを特徴とする。このような構成の弦楽器用サドルにおいても、本発明の弦楽器用ブリッジと同等の効果を奏する。
【発明の効果】
【００１９】
本発明によれば、構成が単純で加工が容易であり、サドルの材料費が低減されるとともに音の響きが良好であるといった効果を奏する。
【図面の簡単な説明】
【００２０】
【図１】本発明の実施形態のエレキギターを示す平面図である。
【図２】本発明の実施形態のブリッジを示す平面図である。
【図３】本発明の実施形態のブリッジを示す側断面図である。
【図４】（Ａ）は本発明の実施形態のサドルを示す側断面図、（Ｂ）は（Ａ）のＢ−Ｂ線断面図、（Ｃ）は（Ａ）のＣ−Ｃ線断面図である。
【図５】（Ａ）は図４（Ａ）に示すサドルを９０°回転させた側面図、（Ｂ）は（Ａ）の矢印Ｂ矢視である。
【図６】（Ａ）は図５（Ａ）に示すサドルを９０°回転させた側面図である。
【図７】図２のVII−VII断面の拡大図である。
【図８】図２のVIII−VIII断面の拡大図である。
【図９】従来のサドルの断面図である。
【発明を実施するための形態】
【００２１】
以下、図面を参照して本発明の一実施形態を説明する。
図１は実施形態のエレキギターを示す平面図であり、テレキャスター（フェンダー社登録商標）型のエレキギターに本発明を適用したものである。ギター本体（弦楽器本体）１には、先端部にヘッド３を有するネック２が取り付けられている。ネック２の先端部にはナット２ａが取り付けられている。また、ギター本体１には、ブリッジ４が取り付けられている。なお、以下の説明において方向を示す場合には、ヘッド３側を前方とし、その反対側を後方とする。
【００２２】
ブリッジ４には複数（この実施形態では３個）のサドル５が取り付けられ、サドル５は弦６を支持している。一方、ヘッド３には糸巻き７が取り付けられ、糸巻き７には弦６の先端部が巻き付けられている。なお、図１において符号８はピックアップである。
【００２３】
次に、ブリッジ４の構成について詳述する。図２において符号４０は基体である。基体４０は、真鍮などの金属素材をプレス成形したもので、矩形状をなす底板４１と、底板４１の三方の縁部から立ち上がる側板４２ａ，４２ｂ，４２ｃとからなっている。底板４１の後端部には、弦６に対応した位置に孔４３が形成されている。ギター本体１にも孔４３と同じ位置に孔が形成されており、弦６をギター本体１の裏面から孔４３に通し、弦玉を係止して弦６の先端を糸巻き７に巻き付けるようになっている。図２において符号４４は孔であり。ピックアップ８が孔４４に収容されてギター本体１に取り付けられる。また、符号４５はねじであり、このねじ４５によって基体４０はギター本体１に取り付けられている。
【００２４】
図４〜図６はサドル５の詳細を示す図である。これらの図において符号５０はサドル本体である。サドル本体５０は円柱状をなす真鍮などの金属製のもので、その中央部には、一側面から他側面に貫通するねじ孔（位置調整用ねじ孔）５１が軸線に直交して形成されている。また、サドル本体５０の両端部には、一側面から他側面に貫通するねじ孔（高さ調整用ねじ孔）５２がねじ孔５１に対して位相を９０°ずらして形成されている。
【００２５】
図２および図３に示すように、基体４０の側板４２ｂには、ねじ（ねじ部材）４６が回転自在に支持されている。ねじ４６の先端部は、サドル５のねじ孔５１に螺合させられている。また、サドル５と側板４２ｂの間には、コイルバネ４７が介装されている。この構成のもとに、サドル５はコイルバネ４７によって前方へ付勢され、ねじ４６を例えば反時計回りに回転させることでサドル５は前方へ移動する。また、ねじ４６を例えば時計回りに回転させることでサドル５は後方へ移動する。
【００２６】
サドル５のねじ孔５２には、ねじ４７がその下端部を突出させて螺合させられている。ねじ４７の上端面には、六角穴（図示略）が形成されており、六角穴にレンチを差し込んでねじ４７を回転させるようになっている。そして、ねじ４７の突出量を調整することにより、サドル５の高さ、つまり弦高を調整するようになっている。
【００２７】
さて、図４〜図６に立ち返ってサドル５の詳細を説明する。これらの図に示すように、サドル本体５０の両端部外周には、その全周に亘って弦溝５５が形成されている。弦溝５５は、深さが一定の均一部５６と、均一部５６よりも深さが深い深溝部５７とからなっている。深溝部５７は断面円弧状に形成され、その曲率半径は均一部５６の曲率半径よりも大きく設定されている。そして、均一部５６および深溝部５７の交差部近傍の軸断面が山型をなし、山型の頂点Ｐが形成されている。この頂点Ｐは断面円弧状に形成されており、その曲率半径は０．５〜１．５ｍｍとされている。
【００２８】
図４（Ｂ），（Ｃ）に示すように、弦溝５５の軸断面において頂点Ｐを含む一対の深溝部５７は、前後方向に伸びる直線Ｌに対して線対称に形成されている。また、他方の弦溝５５の軸断面においても、頂点Ｐを含む一対の深溝部５７は、位相がほぼ１８０°ずれた状態で前後方向に伸びる直線Ｌに対して線対称に形成されている。また、２つの深溝部５７は、均一部５６から延びて均一部５６と同じ深さの箇所で互いに連通されている。このような構成において、サドルの直径は７〜１０ｍｍとされ、深溝部５７の曲率半径は５〜８ｍｍとされている。
【００２９】
次に、上記構成のブリッジ４の作用および効果を図７〜図９を参照して説明する。図７は１弦におけるサドル５の断面図、図８は２弦におけるサドル５の断面図である。これらの図に示すように、弦６は弦溝５５によって支持されているが、頂点Ｐから先では弦６はフリーである。したがって、頂点Ｐからナット２ａまでの間隔が弦長であり、ねじ４６を回転させ、サドル５を前後方向へ移動させてオクターブ調整を行うようになっている。そして、１弦（または２弦）のオクターブ調整をすれば２弦（または１弦）のオクターブ調整も同時に完了するように、頂点Ｐ，Ｐの前後方向のずれ量が設定されている。
【００３０】
図９は深溝部５７のない弦溝５５のみを有するサドル５’の断面図である。図９に示すように、弦６は、弦溝５５に広範囲に亘って接触している。このため、音の響きが良くなく、弦溝５５の摩耗等に起因してびびりが生じることがある。この点、上記実施形態においては、弦６は頂点Ｐから前方がフリーなため弦溝５５との接触面積が小さい。よって、音の響きを良好にすることができる。
【００３１】
上記実施形態においては、弦溝５５に深溝部５７を形成した構成であるから、構成が単純であり加工が容易である。本実施形態では、サドル本体５０を回転させながらボールエンドミルで均一部５６を切削した後、ボールエンドミルの切込み量を徐々に深くし、次いで徐々に浅くして均一部５６の深さに戻ることで深溝部５７を加工することができる。また、深溝部５７は断面が円弧状であるから、断面を直線状にする場合と比較して除去する材料の量が少ないと共により多くの体積が確保される。したがって、材料費が低減されると共に音の響きがさらに良好となる。
【００３２】
図１に示すエレキギターは、右手で演奏するようになっており、図中下より１弦から６弦までが張られている。このエレキギターを左手で演奏できるように変更するには、図中下より６弦から１弦までを張る必要がある。この場合、各サドル５は、それぞれの弦毎にオクターブ調整できるように設定されているので、弦の位置変更に合わせてサドル５も位置を変更する必要がある。
【００３３】
そこで、１弦および２弦用のサドル５の表裏を逆にして５弦および６弦用のサドル５の位置に配置し、５弦および６弦用のサドル５の表裏を逆にして１弦および２弦用のサドル５の位置に配置し、３弦および４弦用のサドル５の表裏を逆にして３弦および４弦用のサドル５の位置に配置する。そして、１弦から６弦までの弦の並びを逆にして張ることにより、左利き用のエレキギターを構成することができる。
【００３４】
上記実施形態は本発明をエレキギターに適用したものであるが、エレキベース、アコースティックギターなど種々の弦楽器に適用することができる。
【産業上の利用可能性】
【００３５】
本発明は、オクターブ調整を行うことができるブリッジとしてエレキギターなどの弦楽器に適用することができる。
【符号の説明】
【００３６】
１  ギター本体（弦楽器本体）
２  ネック
２ａ  ナット
４  ブリッジ
５  サドル
７  糸巻き
４０  基体
４６  ねじ（ねじ部材）
５０  サドル本体
５１  ねじ孔（位置調整用ねじ孔）
５２  ねじ孔（高さ調整用ねじ孔）
５５  弦溝
５６  均一部
５７  深溝部
Ｐ  頂点
【図１】
2014041237.tif 000003
【図２】
2014041237.tif 000004
【図３】
2014041237.tif 000005
【図４】
2014041237.tif 000006
【図５】
2014041237.tif 000007
【図６】
2014041237.tif 000008
【図７】
2014041237.tif 000009
【図８】
2014041237.tif 000010
【図９】
2014041237.tif 000011